(57)【特許請求の範囲】
【請求項１】
本体背面（１１）と、前記本体背面（１１）と一体形成された本体前面（２１）と、前記本体背面（１１）と前記本体前面（２１）の間の上端に開口された挿入口（２２）と、前記本体背面（１１）の前記挿入口（２２）側に形成された鍼灸針（１０１）係合のための溝１（１３）と、
身体や用具に装着するための装着構造を有し、
前記挿入口（２２）は前記本体背面（１１）の前記溝１（１３）より前記本体前面（２１）の上端を低くし段差を付けることにより前記本体背面（１１）と前記本体前面（２１）に囲まれた空間に前記鍼灸針（１０１）を挿入し、
該鍼灸針（１０１）を前記溝１（１３）と前記本体前面（２１）の上端で前後左右方向に移動しないように挟んで固定し、
前記装着構造を身体や用具に装着して前記鍼灸針（１０１）を持ち運び、かつ出し入れ可能にする構造を有することを特徴とする鍼灸針を携帯するホルダー。
【請求項２】
上記本体背面（１１）に上記溝１（１３）と対をなす溝２（１４）を設けたことを特徴とする請求項１に記載の鍼灸針を携帯するホルダー。
【請求項３】
上記本体前面（２１）に設けた綿花入れ（３１）の中に消毒綿花（１１２）を挿入して保管し、前記消毒綿花（１１２）を持ち運び、かつ出し入れ可能にする構造を有することを特徴とする請求項１〜請求項２に記載の鍼灸針を携帯するホルダー。
【発明の詳細な説明】
【技術分野】
【０００１】本発明は鍼灸針を単数又は複数保管する構造と、鍼灸針を固定及び出し入れする構造と、クッション材を着脱する構造と、消毒綿花を保持する構造と、身体や用具に装着する構造と、鍼灸針を携帯するホルダーを単数又は複数保管する構造の技術に関するものである。
【背景技術】
【０００２】一般的に鍼灸針の使用方法は以下の通りである。【０００３】テーブル台に鍼灸針・鍼皿・消毒液・消毒綿花を入れた綿花入れ・処理箱・鍼廃棄箱を用意する。
消毒液で手指を消毒する。
鍼灸針を使用する数だけ鍼皿に入れる。
綿花入れから消毒綿花を取り出し、治療する部分を消毒する。
使用済みの消毒綿花を処理箱に入れる。
鍼灸針を鍼皿から取り出し、治療に使用する。
治療により鍼灸針は鍼と鍼管に分離される。
使用済みの鍼管は処理箱に、使用済みの鍼は鍼廃棄箱にそれぞれ入れる。
綿花入れから消毒綿花を取り出し、治療した部分を消毒する。
使用済みの消毒綿花を処理箱に入れる。【０００４】また鍼灸針や消毒綿花を身体に携帯する場合は、身体の腕などに輪ゴムを取り付け、鍼灸針や消毒綿花を腕と輪ゴムの間に挟んで携帯していた。【０００５】上記のように消毒済みの鍼灸針や消毒綿花を腕と輪ゴムの間に挟んで携帯する場合、消毒済みの鍼灸針や消毒綿花が腕や衣服などに触れて汚染し、衛生的でなかった。【０００６】このように一般的な鍼治療は、テーブル台に鍼灸針・鍼皿・消毒液・消毒綿花を入れた綿花入れ・処理箱・鍼廃棄箱などを置き、テーブル台から必要なものを取り出す又は戻す作業を行うため、治療する位置からテーブル台まで必要に応じて移動しなければならなかった。また消毒済みの鍼灸針や消毒綿花を身体に携帯する場合、衛生的に行われていなかった。【０００７】以下に特許文献による従来技術に関して述べる。【０００８】例えば特開平１０−３１０９２６では、裁縫針を保管または携帯する構造にあるが、裁縫針用ホルダーを回転しないと裁縫針を着脱不可能で、一度に複数の裁縫針を着脱する構造にない。【０００９】次に特開２００４−１４１３８９では、換針カートリッジを着脱する際にキャップの付いた換針カートリッジのみ着脱可能であり、鍼灸針のようにキャップなどの特別装備のないものには対応しない。また身体や用具に装着して携帯することができない。【００１０】また特開２００６−０８１８４４では、針を採血管ホルダーに挿入しているが、針と採血管ホルダーは一体型となり、針を一回の使用で廃棄する構造にあって何度も着脱する構造にない。【００１１】更に特開平９−２７６３６５では、携帯用の鍼保持具に鍼を挿入する都度、鍼保持具を腕から取り外し水平にして開閉し鍼を挟む必要がある。また複数の鍼を保持する場合は、隣接する鍼と接触して傷が付き、かつガードがないので鍼が傾いて保持されてしまい保持できる鍼数が減少してしまう欠点がある。【００１２】以上より消毒綿花や鍼灸針を身体に携帯し、テーブル台までの移動作業をなくす方法として従来技術には問題点があり、鍼灸針を携帯するホルダーとしては不十分であることが分かる。
【特許文献１】特開平１０−３１０９２６
【特許文献２】特開２００４−１４１３８９
【特許文献３】特開２００６−０８１８４４
【特許文献４】特開平９−２７６３６５
【発明の開示】
【発明が解決しようとする課題】
【００１３】本発明が解決しようとする課題及び目的を以下に示す。【００１４】鍼灸針を使用する際はテーブル台の針皿まで鍼灸針を取りに行く必要があり、使用後は使用済みの鍼灸針をテーブル台の鍼廃棄箱まで入れに行く必要があった。【００１５】また治療する部分を消毒する際はテーブル台の綿花入れまで消毒綿花を取りに行く必要があり、使用後は使用済みの消毒綿花をテーブル台の処理箱まで入れに行く必要があった。【００１６】更に消毒済みの鍼灸針や消毒綿花を携帯する場合、いつでもすぐに携帯することができ、汚染することなく衛生的に携帯する必要があった。
【課題を解決するための手段】
【００１７】本発明は、本体背面（１１）と、
前記本体背面（１１）と一体形成された本体前面（２１）と、
前記本体背面（１１）と前記本体前面（２１）の間の上端に開口された挿入口（２２）と、
前記本体背面（１１）の前記挿入口（２２）側に形成された鍼灸針（１０１）係合のための溝１（１３）と、
身体や用具に装着するための装着構造を有し、
前記本体背面（１１）と前記本体前面（２１）に囲まれた空間に鍼灸針（１０１）を挿入して保管し、
前記装着構造を身体や用具に装着して前記鍼灸針（１０１）を持ち運び、かつ出し入れ可能にする構造を有することを特徴とする鍼灸針を携帯するホルダーを構成するものである。【００１８】第２の発明は、上記本体背面（１１）に上記溝１（１３）と対をなす溝２（１４）を設けたことを特徴とする請求項１に記載の鍼灸針を携帯するホルダーを構成するものである。【００１９】第３の発明は、上記本体前面（２１）に設けた綿花入れ（３１）の中に消毒綿花（１１２）を挿入して保管し、前記消毒綿花（１１２）を持ち運び、かつ出し入れ可能にする構造を有することを特徴とする請求項１〜請求項２に記載の鍼灸針を携帯するホルダーを構成するものである。
【発明の効果】
【００２０】以下に本発明の効果を示す。【００２１】鍼灸針を使用する際は移動することなくその場で鍼灸針を使用することができ、使用後は使用済みの鍼灸針を移動することなくその場で保管することができる。
ホルダーの挿入口に段差を付けることで、鍼灸針を容易に挿入できる。
鍼灸針はホルダーに挿入した際、前後左右方向に移動せずかつ傾かないことで、鍼灸針を出し入れする時に他の鍼灸針との接触を防止することができる。【００２２】また治療する部分を消毒する際は移動することなくその場で消毒綿花を持ち消毒することができ、使用後は使用済みの消毒綿花を移動することなくその場で保管することができる。【００２３】更に消毒済みの鍼灸針や消毒綿花を携帯する場合、いつでもすぐに、かつ汚染することなく衛生的に携帯することができる。
【発明を実施するための最良の形態】
【００２４】以下に本発明の好適な実施例を図面に基づいて説明する。
【実施例】
【００２５】図１は鍼灸針（１０１）及び鍼灸針（１０１）を携帯した状態のホルダー（１）前面の概略斜視図である。【００２６】ホルダー（１）の挿入口（２２）に鍼灸針（１０１）を挿入し、ホルダー（１）の本体背面（１１）と本体前面（２１）に囲まれた空間に鍼灸針（１０１）を単数及び複数保管し、鍼灸針（１０１）の上部を持って鍼灸針（１０１）を個々に出し入れすることができる。
本体背面（１１）と本体前面（２１）に囲まれた空間の最下端は、鍼灸針（１０１）の先端が本体背面（１１）又は本体前面（２１）の下部に直接触れないようクッション（１１１）を挿入する。
ホルダー（１）の綿花入れ（３１）は中に消毒綿花（１１２）を挿入する。【００２７】図２はホルダー（１）前面の概略斜視図である。【００２８】本体前面（２１）の窓（１２）はクッション（１１１）を出し入れし、かつ鍼灸針（１０１）の挿入位置を確認することができる。また窓（１２）は本体前面（２１）より小さく、本体前面（２１）の底面より上方に位置することでクッション（１１１）を不用意に脱出しない。
クッション（１１１）は消毒綿花（１１２）など柔軟性のあるものを用い、鍼灸針（１０１）の先端を保護する役割を果たす。
本体背面（１１）の溝１（１３）は鍼灸針（１０１）を挿入する時の挿入位置を明確にし、かつ左右及び背面側のブレをなくして安定化する。
本体背面（１１）の溝１（１３）と本体前面（２１）の上端で囲まれた挿入口（２２）は、本体背面（１１）の溝１（１３）より本体前面（２１）の上端を低くし段差を付けることで、鍼灸針（１０１）を容易に挿入できる。
本体背面（１１）と本体前面（２１）に囲まれた空間に鍼灸針（１０１）を挿入した後は、鍼灸針（１０１）を本体背面（１１）の溝１（１３）と本体前面（２１）の上端で前後左右方向に移動しないよう挟んで固定し、鍼灸針（１０１）を個々に出し入れする時に他の鍼灸針（１０１）との接触を防止する。
綿花入れ（３１）のストッパー（３２）は消毒綿花（１１２）を保管する際にホルダー（１）を振動又は角度変更しても、綿花入れ（３１）から消毒綿花（１１２）が不用意に脱出しないよう保持する。
ホルダー（１）のフック２（４２）はホルダーケース（１２１）に引っ掛けて、ホルダー（１）を単数又は複数並べて保管する。【００２９】図３はホルダー（１）背面の概略斜視図である。【００３０】ホルダー（１）のフック１（４１）（請求項の装着構造に該当する）は身体の衣服や用具に装着してホルダー（１）を身体に携帯し、かつ持ち運び可能にする。
本体背面（１１）の溝２（１４）は、本体背面（１１）と本体前面（２１）に囲まれた空間に鍼灸針（１０１）を挿入した後、鍼灸針（１０１）が左右方向に傾かないよう鍼灸針（１０１）の最下端を支持し、鍼灸針（１０１）を個々に出し入れする時に他の鍼灸針（１０１）との接触を防止する。
これよりホルダー（１）に挿入した鍼灸針（１０１）は、本体背面（１１）の溝１（１３）及び溝２（１４）と本体前面（２１）の上端で静止した状態にて支持及び固定し、鍼灸針（１０１）を個々に出し入れする時に他の鍼灸針（１０１）との接触を防止することができる。
このように本体背面（１１）と本体前面（２１）に囲まれた空間に鍼灸針（１０１）を挿入し、綿花入れ（３１）の中に消毒綿花（１１２）を挿入し、フック１（４１）にて身体の衣服や用具に装着して身体に携帯することで、鍼灸針（１０１）を使用する際は移動することなくその場で使用することができ、使用後も使用済みの鍼灸針（１０１）を移動することなくその場で本体背面（１１）と本体前面（２１）に囲まれた空間に戻して保管することができる。
同様に治療する部分を消毒する際は移動することなくその場で消毒綿花（１１２）を持ち消毒することができ、使用後も使用済みの消毒綿花（１１２）を移動することなくその場で綿花入れ（３１）の中に戻して保管することができる。【００３１】図４は鍼灸針（１０１）を携帯したホルダー（１）を保管したホルダーケース（１２１）の概略斜視図である。【００３２】ホルダーケース（１２１）はホルダー（１）のみ又は鍼灸針（１０１）や消毒綿花（１１２）を携帯したホルダー（１）を単数又は複数挿入し保管するもので、ホルダーケース（１２１）にホルダー（１）を挿入した状態で紫外線消毒器などに入れて消毒する。またホルダーケース（１２１）は、いつでもすぐにホルダー（１）を着脱することが可能である。
ホルダーケース（１２１）のホルダー掛け（１２２）はホルダー（１）のフック２（４２）を引っ掛けるもので、ホルダー（１）が転倒しないよう保持する。またホルダー（１）をホルダー掛け（１２２）の長軸方向に移動することを可能にするレールの役割を果たす。【００３３】図５は鍼灸針（１０１）を携帯したホルダー（１）を使用した鍼治療のフローチャート図である。以下にフローチャート図に沿って、鍼灸針（１０１）携帯したホルダー（１）を使用した鍼治療の実施例を示す。【００３４】紫外線消毒器の中から鍼灸針（１０１）を携帯したホルダー（１）を保管したホルダーケース（１２１）を取り出す。
ホルダーケース（１２１）から鍼灸針（１０１）を携帯したホルダー（１）を取り出す。
ホルダーケース（１２１）を紫外線消毒器に戻す。
ホルダー（１）の綿花入れ（３１）の中に消毒綿花（１１２）を挿入する。
ホルダー（１）のフック１（４１）を身体の衣服や用具に装着し、ホルダー（１）を身体に携帯する。
手指を消毒する。
ホルダー（１）の綿花入れ（３１）から消毒綿花（１１２）を取り出し、患部を消毒する。
使用済みの消毒綿花（１１２）をホルダー（１）の綿花入れ（３１）に戻す。
ホルダー（１）から鍼灸針（１０１）を取り出し、治療に使用する。
使用済みの鍼灸針（１０１）をホルダー（１）に戻す。
ホルダー（１）から消毒綿花（１１２）を取り出し、治療した患部を消毒する。
使用済みの消毒綿花（１１２）をホルダー（１）の綿花入れ（３１）に戻す。
ホルダー（１）から使用した鍼灸針（１０１）及び消毒綿花（１１２）を外し、捨てる。
ホルダー（１）に新しい鍼灸針（１０１）を追加する。
紫外線消毒器の中からホルダーケース（１２１）を取り出す。
ホルダー（１）をホルダーケース（１２１）に戻す。
ホルダーケース（１２１）を紫外線消毒器に戻す。【００３５】以下にホルダー（１）各部品の変形実施例を説明する。【００３６】ホルダー（１）は単数又は複数身体に携帯してもよい。また身体に直接又は衣服又は用具を用いて携帯してもよい。
この場合の衣服とはポケット、ボタン、穴、袖や襟やズボンの縁、帽子、手袋、靴、靴下など衣服類全般を示し、用具とはベルト、バンド、眼鏡、時計、指輪、腕輪、ネックレス、ピアス、バッグなどホルダー（１）を身体に携帯するための接続機となるもの全般を示す。【００３７】ホルダー（１）の鍼灸針（１０１）の保管構造は鍼灸針（１０１）を単数及び複数挿入し保管することが可能で、一列又は複数列、直列又は並列、直線状又は曲線状又は多方向に並べて保管してもよい。【００３８】ホルダー（１）に挿入する鍼灸針（１０１）の挿入開始部分は、手で持つ鍼柄側・鍼先側どちらでもよい。【００３９】溝１（１３）は凹凸、吸着、バネ、クッションなどの鍼灸針（１０１）を固定できるもので、一体型や個々に分離した型でもよい。また溝１（１３）は本体前面（２１）側にあってもよい。【００４０】溝２（１４）は凹凸、吸着、バネ、クッションなどの鍼灸針（１０１）を固定できるもの、また隣接した鍼灸針（１０１）間に仕切り板などで区切るものでもよい。【００４１】挿入口（２２）はホルダー（１）の上部だけでなく、ホルダー（１）のどの部分にあってもよい。【００４２】綿花入れ（３１）は箱型、引っ掛け型、はさみ型、吸着型のような形状であってもよい。また複数あってもよい。【００４３】ストッパー（３２）は消毒綿花（１１２）を保持するだけでなく、綿花入れ（３１）に切り口を設けて消毒綿花（１１２）を出し入れしやすい構造としてもよい。【００４４】フック１（４１）及びフック２（４２）は磁石、マジックテープ（登録商標）、バネバサミ、粘着剤のようなものでもよい。またフック１（４１）は身体の衣服や用具側にあってもよい。同様にフック２（４２）はホルダーケース（１２１）側にあってもよい。【００４５】ホルダーケース（１２１）は、ホルダー（１）又は鍼灸針（１０１）や消毒綿花（１１２）を携帯したホルダー（１）全体を消毒しやすいよう網状、針金状のものであってもよい。
【産業上の利用可能性】
【００４６】以上の説明では主として本発明者によってなされた発明を、その背景となった利用分野である医師及び鍼灸師による鍼灸治療で使用する鍼灸針（１０１）及び消毒綿花（１１２）に適用した場合について述べたが、この発明はそれに限定されるものではなく、挿入物は鍼灸針（１０１）のような固体で硬質なものは勿論、軟質のもの、鍼灸針（１０１）がパックや袋や箱などに入った状態のもの、線香や棒灸などお灸に使用するもの、また綿花入れ（３１）は消毒綿花（１１２）のような綿や布は勿論、艾やライターなどお灸に使用するもの、固体で硬質又は軟質のもの、鍼灸用具に限らず身体に携帯できるもの全般に利用することができる。
【図面の簡単な説明】
【００４７】
【図１】鍼灸針及び鍼灸針を携帯した状態のホルダー前面の概略斜視図である。
【図２】ホルダー前面の概略斜視図である。
【図３】ホルダー背面の概略斜視図である。
【図４】鍼灸針を携帯したホルダーを保管したホルダーケースの概略斜視図である。
【図５】鍼灸針を携帯したホルダーを使用した鍼治療のフローチャート図である。
【符号の説明】
【００４８】１・・・・ホルダー
１１・・・本体背面
１２・・・窓
１３・・・溝１
１４・・・溝２
２１・・・本体前面
２２・・・挿入口
３１・・・綿花入れ
３２・・・ストッパー
４１・・・フック１
４２・・・フック２
１０１・・鍼灸針
１１１・・クッション
１１２・・消毒綿花
１２１・・ホルダーケース
１２２・・ホルダー掛け
【図１】
0004264959.tif 000002
【図２】
0004264959.tif 000003
【図３】
0004264959.tif 000004
【図４】
0004264959.tif 000005
【図５】
0004264959.tif 000006